(57)【要約】      （修正有）【課題】スペックルを十分に低減することができるスクリーンおよび表示装置を提供する。【解決手段】プロジェクタ２０から光を照射されて画像を表示するスクリーン４０であって、帯電性を有する複数の粒子６０を含む粒子層５０と、粒子層５０の内部で複数の粒子６０を移動させる電場を形成する電極４１、４２と、を備える。【選択図】図１
2018031993.tif 000002
【特許請求の範囲】
【請求項１】
プロジェクタから光を照射されて画像を表示するスクリーンであって、
帯電性を有する複数の粒子を含む粒子層と、
前記粒子層の内部で前記複数の粒子を移動させる電場を形成する電極と、を備えるスクリーン。
【請求項２】
前記電極は、交流電圧の印加により、前記粒子層に形成される電場の向きを周期的に変化させて、前記複数の粒子を周期的に移動させる、請求項１に記載のスクリーン。
【請求項３】
前記粒子層は、前記複数の粒子を閉じられた領域内に保持し、
前記電極は、前記領域内で前記複数の粒子を移動させる前記電場を形成する、請求項１または２に記載のスクリーン。
【請求項４】
前記領域は、前記複数の粒子と、前記複数の粒子を保持する流体と、を内包する収納体を有する請求項３に記載のスクリーン。
【請求項５】
前記領域は、前記電極の上に配置され、凹部が設けられた絶縁層を有し、
前記絶縁層は、前記複数の粒子と、前記複数の粒子を保持する流体と、を前記凹部に内包する請求項３に記載のスクリーン。
【請求項６】
前記領域は、前記スクリーンの面方向に沿って配置される複数の隔壁部を有し、
前記複数の隔壁部は、前記複数の粒子と、前記複数の粒子を保持する流体と、を内包する請求項３に記載のスクリーン。
【請求項７】
前記流体は、液体または気体である、請求項４乃至６のいずれか一項に記載のスクリーン。
【請求項８】
前記複数の粒子は、単一色を有する請求項１乃至７のいずれか１項に記載のスクリーン。
【請求項９】
前記複数の粒子および前記流体は、前記プロジェクタから照射される光に対して透明である請求項４乃至８のいずれか一項に記載のスクリーン。
【請求項１０】
前記複数の粒子は、前記プロジェクタから照射される光を拡散させる請求項４乃至８のいずれか一項に記載のスクリーン。
【請求項１１】
前記複数の粒子は、比誘電率および光拡散特性の少なくとも一方が異なる２種類以上の粒子を含む請求項１〜１０のいずれか１項に記載のスクリーン。
【請求項１２】
前記複数の粒子のうち少なくとも一部の粒子は、比誘電率および光拡散特性の少なくとも一方が互いに異なる第１部分と第２部分とを有する請求項１〜１０のいずれか１項に記載のスクリーン。
【請求項１３】
コヒーレント光を照射するプロジェクタと、
請求項１乃至１２のいずれか１項に記載のスクリーンと、を備える表示装置。
【発明の詳細な説明】
【技術分野】
【０００１】
本開示は、スクリーンおよび表示装置に関する。
【背景技術】
【０００２】
例えば、特許文献１及び特許文献２に開示されているように、コヒーレント光源を用いたプロジェクタが広く利用に供されている。コヒーレント光として、典型的には、レーザ光源から発振されるレーザ光が用いられる。プロジェクタからの画像光がコヒーレント光によって形成される場合、画像光が照射されるスクリーン上にスペックルが観察されるようになる。スペックルは、斑点模様として認識され、表示画質を劣化させる。
【０００３】
特許文献１では、スペックルを低減する目的から、スクリーン上の各位置に入射する画像光の入射角度が、経時的に変化するようになっている。この結果、スクリーン上で相関の無い散乱パターンが発生し、観察面上で重畳されることにより、スペックルを低減することができる。
【先行技術文献】
【特許文献】
【０００４】
【特許文献１】国際公開第２０１２／０３３１７４号
【特許文献２】特開２００８−３１０２６０号公報
【発明の概要】
【発明が解決しようとする課題】
【０００５】
スペックルを低減するための別の方法として、拡散特性が経時的に変化するスクリーンも有効であると考えられる。ここで特許文献２は、マイクロカプセル型電気泳動方式の電子ペーパーによって構成されたスクリーンを提案している。特許文献２のスクリーンでは、ラスタースキャン方式により照射される画像光の照射位置に対応して、反射率が変化する。
【０００６】
さらに、画像光が照射されない部分の反射率を低く制御することにより、この反射率の低い領域において外光や照明光などの環境光の反射が抑制され、高コントラストな画像を表示できる可能性がある。
【０００７】
しかしながら、特許文献２に開示されたスクリーンでは、反射率が白色粒子と黒色粒子の表示割合により変化するのみで、スクリーンで発生するスペックルに対しては何ら効果がない。また、これまでにスクリーンを直接振動させる等の方式が提案されているが、実用面での制約が大きく、広く普及するにいたっていない。
【０００８】
本開示は、以上の点を考慮してなされたものであって、従来と異なる手法により、スペックルを十分に低減することができるスクリーンおよび表示装置を提供することを目的とする。
【課題を解決するための手段】
【０００９】
上記の課題を解決するために、本開示の一態様では、
プロジェクタから光を照射されて画像を表示するスクリーンであって、
帯電性を有する複数の粒子を含む粒子層と、
前記粒子層の内部で前記複数の粒子を移動させる電場を形成する電極と、を備えるスクリーンが提供される。
【００１０】
前記電極は、交流電圧を印加されることで、前記粒子層に形成される電場の向きを周期的に変化させて、前記複数の粒子を周期的に移動させてもよい。
【００１１】
前記粒子層は、前記複数の粒子を閉じられた領域内に保持し、
前記電極は、前記領域内で前記複数の粒子を移動させる前記電場を形成してもよい。
【００１２】
前記領域は、前記複数の粒子と、前記複数の粒子を保持する流体と、を内包する収納体を有してもよい。
【００１３】
前記領域は、
前記電極の上に配置され、凹部が設けられた絶縁層を有し、
前記絶縁層は、前記複数の粒子と、前記複数の粒子を保持する流体と、を前記凹部に内包してもよい。
【００１４】
前記領域は、前記スクリーンの面方向に沿って配置される複数の隔壁部を有し、
前記複数の隔壁部は、前記複数の粒子と、前記複数の粒子を保持する流体と、を内包してもよい。
【００１５】
前記流体は、液体または気体であってもよい。
【００１６】
前記複数の粒子は、単一色を有してもよい。
【００１７】
前記複数の粒子および前記流体は、前記プロジェクタから照射される光に対して透明であってもよい。
【００１８】
前記複数の粒子は、前記プロジェクタから照射される光を拡散させてもよい。
【００１９】
前記複数の粒子は、比誘電率および光拡散特性の少なくとも一方が異なる２種類以上の粒子を含んでもよい。
【００２０】
前記複数の粒子のうち少なくとも一部の粒子は、比誘電率および光拡散特性の少なくとも一方が互いに異なる第１部分と第２部分とを有してもよい。
【００２１】
本開示の他の一態様では、
コヒーレント光を照射するプロジェクタと、
前記スクリーンと、を備える表示装置が提供される。
【発明の効果】
【００２２】
本開示によれば、従来と異なる手法により、スペックルを十分に低減することができる。
【図面の簡単な説明】
【００２３】
【図１】第１の実施形態による表示装置を示す図。
【図２Ａ】第１の実施形態による表示装置において、第２電極から第１電極へ向かう電圧を印加したときの粒子の移動状態を示す図。
【図２Ｂ】第１の実施形態による表示装置において、第１電極から第２電極へ向かう電圧を印加したときの粒子の移動状態を示す図。
【図３】第１の実施形態の第１の変形例による表示装置を示す図。
【図４】第１の実施形態の第２の変形例による表示装置を示す図。
【図５】第１の実施形態の第３の変形例による表示装置を示す図。
【図６】第１の実施形態の第４の変形例による表示装置を示す図。
【図７】第１の実施形態の第５の変形例による表示装置を示す図。
【図８】第１の実施形態の第６の変形例による表示装置を示す図。
【図９】第１の実施形態の第７の変形例による表示装置を示す図。
【図１０】第２の実施形態による表示装置を示す図。
【発明を実施するための形態】
【００２４】
以下、図面を参照して本開示の実施形態について説明する。なお、本明細書に添付する図面においては、図面の理解のしやすさの便宜上、適宜縮尺および縦横の寸法比等を、実物のそれから変更して誇張してある。また、本実施形態で参照する図面において、同一部分または同様な機能を有する部分には同一の符号または類似の符号を付し、その繰り返しの説明は省略する場合がある。
【００２５】
（第１の実施形態）
図１に示すように、表示装置１０は、プロジェクタ２０と、スクリーン４０と、電力源３０と、制御装置３５とを備える。
【００２６】
プロジェクタ２０は、画像を形成する光、すなわち、画像光を、スクリーン４０へ投射する。図示された例において、プロジェクタ２０は、コヒーレント光を発振するコヒーレント光源２１と、コヒーレント光源２１の光路を調整する図示しない走査装置と、を有している。コヒーレント光源２１は、典型例として、レーザ光を発振するレーザ光源から構成されている。コヒーレント光源２１は、互いに異なる波長域の光を生成する複数のコヒーレント光源を有するようにしてもよい。
【００２７】
図示された例において、プロジェクタ２０は、ラスタースキャン方式にて、スクリーン４０上にコヒーレント光を投射する。プロジェクタ２０は、スクリーン４０上の全域を走査するよう、コヒーレント光を投射する。走査は、高速で実施される。プロジェクタ２０は、形成すべき画像に応じ、コヒーレント光源２１からのコヒーレント光の射出を停止する。すなわち、スクリーン４０上の画像が形成されるべき位置のみにコヒーレント光を投射する。この結果、スクリーン４０上に画像が形成される。プロジェクタ２０の動作は、電力源３０によるプロジェクタ２０への印加電圧によって制御される。印加電圧は、制御装置３５で制御される。
【００２８】
（スクリーン４０）
次に、スクリーン４０について説明する。図１に示す例において、スクリーン４０は、コヒーレント光の入射側から順に、第１基板４６と、第１電極４１と、粒子層５０と、第２電極４２と、第２基板４７とを有している。これらの構成部４６、４１、５０、４２、４７は、光の入射方向に交差する方向に面状に広がっている。
【００２９】
図示された例において、スクリーン４０は、透過型のスクリーンを構成している。プロジェクタ２０は、第１基板４６側からスクリーン４０に画像光を照射する。画像光は、スクリーン４０の各構成部４６、４１、５０、４２、４７を入射側から順に透過した後、第２基板４７の出射側の端面である表示側面４０ａにおいてスクリーン４０の外部に出射される。この結果、表示側面４０ａに対面する観察者は、画像を視認することが可能となる。なお、スクリーン４０へのコヒーレント光の入射は、第２基板４７側から行ってもよい。その場合、第１基板４６の最表面が表示側面となる。
【００３０】
（粒子層５０）
粒子層５０は、帯電性を有する複数の粒子６０と、第１電極４１と第２電極４２との間の閉じられた領域内において各粒子６０を保持する流体７０とを有する。粒子６０は、第１電極４１と第２電極４２との間で流体５１内に保持されているため、第１電極４１と第２電極４２との間で電気泳動できる。流体７０は、液体および気体のいずれであってもよい。
【００３１】
各粒子６０は、単一色または透明である。各粒子６０が単一色であることで、画像光のちらつきの発生を抑制できる。また、各粒子６０と流体７０とがプロジェクタ２０から照射される光に対して透明であることで、スクリーン４０が画像光を透過表示できる。
【００３２】
その他、各粒子６０は、帯電性を有するものであれば具体的な態様は特に限定されない。各粒子６０は、それらの全てがプラスおよびマイナスのいずれかに帯電していてもよい。または、各粒子６０の一部がプラスに帯電し、他の一部がマイナスに帯電していてもよい。あるいは、各粒子６０のそれぞれが、プラスに帯電した部分とマイナスに帯電した部分とを有していてもよい。また、各粒子６０は、帯電性に加えて光拡散性を有していてもよい。
【００３３】
例えば、各粒子６０は、ポリスチレンやアクリルなどの高分子を含有していてもよい。または、各粒子６０は、例えば、二酸化チタンなどの金属化合物を含有していてもよい。粒子内部に屈折率差を生じる成分が含まれていると好ましい。また、各粒子６０は、比誘電率および光拡散特性の少なくとも一方が異なる２種類以上の粒子６０を含んでもよい。また、各粒子６０のうち少なくとも一部の粒子は、比誘電率および光拡散特性の少なくとも一方が互いに異なる第１部分と第２部分とを有していてもよい。第１部分および第２部分は、一方がプラス帯電性の傾向にある重合性モノマー、他方がマイナス帯電性の傾向にある重合性モノマーであってもよい。このような重合性モノマーは、例えば、特開２００４−１９７０８３号公報に記載されたものであってもよい。
【００３４】
（第１電極４１、第２電極４２）
第１電極４１および第２電極４２は、電力源３の両端のそれぞれに接続され、電力源３から電圧が印加される。電圧が印加されることで、第１電極４１および第２電極４２は、粒子層５０の内部で各粒子６０を移動させる電場を形成する。より具体的には、第１電極４１および第２電極４２には、電力源３から交流電圧が印加される。交流電圧が印加されることで、第１電極４１および第２電極４２は、粒子層５０に形成される電場の向きを周期的に変化させて、複数の粒子６０を周期的に移動させる。
【００３５】
第１電極４１および第２電極４２によれば、電気泳動により、第１電極４１と第２電極４２との間で粒子６０を移動させることができる。これにより、流体７０と粒子６０との界面の形状を変化させて画像光の散乱特性を変化させることができるので、効果的にスペックルを低減できる。
【００３６】
なお、画像光を透過するため、第１電極４１および第２電極４２は、いずれも透明である。第１電極４１および第２電極４２は、それぞれ、可視光領域における透過率が８０％以上であることが好ましく、８４％以上であることがより好ましい。なお、可視光透過率は、分光光度計（（株）島津製作所製「ＵＶ−３１００ＰＣ」、ＪＩＳＫ０１１５準拠品）を用いて測定波長３８０ｎｍ〜７８０ｎｍの範囲内で測定したときの、各波長における透過率の平均値として特定される。後述する第２の実施形態のように画像光を反射させて表示する場合は、第２電極は必ずしも透明である必要はなく、アルミ電極などの透過性を有さない電極を用いることもできる。
【００３７】
第１電極４１および第２電極４２をなす導電材料として、ＩＴＯ（Ｉｎｄｉｕｍ Ｔｉｎ Ｏｘｉｄｅ；インジウム錫酸化物）、ＩｎＺｎＯ（Ｉｎｄｉｕｍ Ｚｉｎｃ Ｏｘｉｄｅ；インジウム亜鉛酸化物）、Ａｇナノワイヤー、カーボンナノチューブ等を用いることができる。
【００３８】
第１基板４６および第２基板４７は、粒子層５０を保護および封止する層である。第１基板４６および第２基板４７は、透明樹脂、例えば優れた安定性を有するポリエチレンテレフタレート、あるいはポリカーボネートやシクロオレフィンポリマー等から、形成することができる。
【００３９】
図２Ａは、第１の実施形態による表示装置１０において、第２電極４２から第１電極４１へ向かう電圧を印加したときの粒子６０の移動状態を示す図である。図２Ｂは、第１の実施形態による表示装置１０において、第１電極４１から第２電極４２へ向かう電圧を印加したときの粒子６０の移動状態を示す図である。図示されている例において、各粒子６０のうち“＋”が表記された一部の粒子６０は、プラスに帯電しており、“−”が表記された他の一部の粒子６０は、マイナスに帯電している。
【００４０】
図２Ａに示すように、電力源３０から交流電圧を印加する過程で、第２電極４２から第１電極４１へ向かう電圧が印加されたとき、プラスに帯電した粒子６０は、クーロン力によって第１電極４１に向かって泳動する。また、マイナスに帯電した粒子６０は、クーロン力によって第２電極４２に向かって泳動する。逆に、図２Ｂに示すように、第１電極４１から第２電極４２へ向かう電圧が印加されたときに、プラスに帯電した粒子６０は第２電極４２に向かって泳動し、マイナスに帯電した粒子６０は第１電極４１に向かって泳動する。このように粒子６０を泳動させることで、流体７０と粒子６０との界面の形状を連続的に変化させて、光の散乱特性を連続的に変化させることができる。これにより、スペックルが効果的に低減された視認性が良好な透過方式の投影画像を表示できる。
【００４１】
（第１の変形例）
図３は、第１の実施形態の第１の変形例による表示装置１０を示す図である。図２Ａおよび図２Ｂでは、各粒子６０がプラスおよびマイナスのいずれかに帯電した例について説明した。これに対して、第１の変形例では、図３に示すように、各粒子６０が、プラスおよびマイナスの双方に帯電している。このような粒子６０は、例えば、比誘電率および光拡散特性の少なくとも一方が互いに異なる第１部分と第２部分とを有し、第１部分および第２部分の一方がプラスに、他方がマイナスに帯電したものであってもよい。
【００４２】
このようなプラスおよびマイナスの双方に帯電した粒子６０に交流電圧を印加すると、粒子６０は、例えば、図３の矢印に示すように、第１電極４１と第２電極４２とのほぼ中間位置において振動する。各粒子６０は、電圧の印加方向の切り替わりに応じて向きを反転させてもよい。第１の変形例によれば、図１の表示装置１０と同様に、流体７０と粒子６０との界面の形状を連続的に変化させることができるので、スペックルが効果的に低減された視認性が良好な透過方式の投影画像を表示できる。
【００４３】
（第２の変形例）
図４は、第１の実施形態の第２の変形例として、マイクロカプセル方式の表示装置１０を示す図である。図４に示すように、第２の変形例の表示装置１０において、各粒子６０を保持する閉じられた領域は、各粒子６０と液体７１とを内包するカプセル膜４３によって構成されている。カプセル膜４３は、収容体の一例である。すなわち、第２の変形例の表示装置１０は、各粒子６０と液体７１とがカプセル膜４３に内包されたマイクロカプセル８０を有する。
【００４４】
カプセル膜４３は、例えば、ゼラチン、ゼラチンとアラビアゴムの混合物、ウレタン樹脂、メラミン樹脂および尿素−ホルマリン樹脂などを含有していてもよい。
【００４５】
液体７１は、例えば、分散媒である。分散媒は、非極性溶媒であってもよい。
【００４６】
また、図４に示すように、第２の変形例において、第１電極４１は、隣接する所定数の粒子６０に対応するように、複数の個別電極４１ａ毎に分割されている。一方、第２電極４２は、全ての粒子６０において共通の１つの共通電極である。電力源３０は、各個別電極４１ａのそれぞれに接続されている。制御装置３５は、個別電極４１ａ毎に独立して電力源３０を制御することが可能である。
【００４７】
第２の変形例のスクリーン４０は、例えば、スクリーン印刷などによって第１電極４１上または第２電極４２上にマイクロカプセル８０を混入した接着剤を塗布し、塗布された接着剤を挟んで第１基板４６と第２基板４７とを対向させた後、接着剤を硬化することで製造してもよい。また、粒子６０および液体７１のマイクロカプセル化には、例えば、界面重合、イン・シトゥー重合、相分離、コアセルベーション、静電コーティング、噴霧乾燥、流動床コーティングまたは溶媒蒸発などの手法を用いてもよい。
【００４８】
また、必要に応じて、反射防止膜、光拡散層、レンチキュラーレンズおよびフレネルレンズシート、ティント層などを設けてもよい。
【００４９】
第２の変形例の表示装置１０によれば、カプセル膜４３内の粒子６０に交流電圧を印加することで、カプセル膜４３内の液体７１内において、第１電極４１または第２電極４２に向かって粒子６０を泳動させることができる。これにより、液体７１と粒子６０との界面の形状を連続的に変化させることができるので、図１の表示装置１０と同様に、スペックルが効果的に低減された視認性が良好な透過方式の投影画像を表示できる。
【００５０】
（第３の変形例）
図５は、第１の実施形態の第３の変形例として、セル方式の表示装置１０を示す図である。図５に示すように、第３の変形例において、各粒子６０を保持する閉じられた領域は、スクリーン４０の面方向に沿って配置される複数の隔壁部４４によって構成されている。すなわち、隣接する隔壁部４４の間には、それぞれ、複数の粒子６０と、液体７１とが内包されている。以下、隣接する隔壁部４４の間の閉じられた領域のことを、セルと呼ぶ。
【００５１】
図５に示すように、第１電極４１は、複数のセルのそれぞれに対応する複数の帯状の個別電極４１ａを有している。一方、第２電極４２は、全セルにおいて共通の１つの共通電極である。電力源３０は、セルごとに個別に電極４１ａ、４２間に接続されている。制御装置３５は、セルごとに独立して電力源３０を制御することが可能である。
【００５２】
第３の変形例のスクリーン４０は、例えば、以下のようにして製造できる。先ず、第１基板４６上に、蒸着法などによって第１電極４１を形成する。また、第２基板４７上にも、蒸着法などによって第２電極４２を形成する。第１電極４１の形成においては、第１電極４１を個別電極４１ａに応じた形状にパターニング形成する。第１電極４１の形成は、例えば、フォトリソグラフィによってパターニングされたレジスト膜をマスクとしたエッチングで行ってもよい。次に、フォトエッチング、ラミネート、インクジェット、ナノインプリント製法などによって、一方の基板４６、４７上に隔壁部４４を積層形成する。隔壁部４４を形成した後、隔壁部４４で囲まれた凹部内に、粒子６０を含有した液体７１を充填する。液体７１の充填は、ディスペンサ、インクジェットまたはダイコートなどの滴下で行ってもよい。充填の際に凹部からはみ出た余剰の液体７１は、ドクターブレードやドクターナイフなどによって除去してもよい。液体７１を充填した後、隔壁部４４に、接着層を介して他方の基板４６、４７を貼り合わせることで、粒子６０と液体７１とを各セル内に封入する。
【００５３】
第３の変形例の表示装置１０によれば、セルごとに独立して粒子６０に電圧を印加できるので、スクリーン４０の面内において液体７１と粒子６０との界面の形状を不均一に変化させることができる。これにより、図１の表示装置１０よりも更に効果的にスペックルを低減できる。
【００５４】
（第４の変形例）
図６は、第１の実施形態の第４の変形例として、マイクロカップ方式の表示装置１０を示す図である。図６に示すように、第４の変形例において、各粒子６０を保持する閉じられた領域は、第２電極４２の上に配置され、凹部４５ａが設けられた絶縁層４５と、凹部４５ａの開口を塞ぐ第１基板４６とによって構成されている。絶縁層４５は、凹部４５ａに複数の粒子６０と液体７１とを内包している。すなわち、第４の変形例の表示装置１０は、各粒子６０と液体７１とが凹部４５ａに内包されたマイクロカップ９０を有する。
【００５５】
図６に示すように、第１電極４１は、複数のマイクロカップ９０のそれぞれに対応する複数の帯状の個別電極４１ａを有している。一方、第２電極４２は、全マイクロカップ９０において共通の１つの共通電極である。電力源３０は、マイクロカップ９０毎に個別に電極４１ａ、４２間に接続されている。制御装置３５は、マイクロカップ９０毎に独立して電力源３０を制御することが可能である。
【００５６】
第４の変形例のスクリーン４０は、例えば、以下のようにして製造できる。先ず、蒸着法およびフォトリソグラフィなどによって、第１基板４６上に所望の形状の第１電極４１を形成する。第１電極４１を形成した後、コーティングなどによって第１電極４１上に絶縁層４５を形成する。絶縁層４５は、例えば、熱可塑性樹脂、熱硬化性樹脂またはこれらの前駆体であってもよい。絶縁層４５を形成した後、ローラ、プレートまたはベルト形態の雄型によって、高温下で絶縁層４５にエンボス加工を施す。これにより、絶縁層４５に凹部４５ａが形成される。一方、第２基板４７上にも、蒸着法などによって第２電極４２を形成する。第２電極４２を形成した後、第２電極４２上に接着層を形成する。次いで、ディスペンサ、インクジェットまたはダイコートなどの滴下によって、凹部４５ａ内に粒子６０を含有した液体７１を充填する。凹部４５ａ内に液体７１を充填した後、接着層を介して絶縁層４５上に第２基板４７を貼り付けることで、粒子６０と液体７１とを凹部４５ａ内に封入する。
【００５７】
なお、第２電極４２の接着層上に、凹凸やフッ素コートなどの粒子６０の付着を防止する層を形成してもよい。
【００５８】
第４の変形例の表示装置１０によれば、マイクロカップ９０ごとに独立して粒子６０に電圧を印加できるので、スクリーン４０の面内において液体７１と粒子６０との界面の形状を不均一に変化させることができる。これにより、図１の表示装置１０よりも更に効果的にスペックルを低減できる。
【００５９】
（第５の変形例）
図７は、第１の実施形態の第５の変形例として、気体中の電気泳動を利用した表示装置１０を示す図である。これまでは、液体７１中で粒子６０を移動させる具体例について説明した。これに対して、第５の変形例の表示装置１０は、気体中で粒子６０を電気泳動させる電子粉粒方式を採用している。
【００６０】
図７に示すように、第５の変形例の表示装置１０は、流体７０として気体７２を有する以外は図５に示したセル方式の表示装置１０と基本的に同様である。気体７２は、乾燥空気、乾燥窒素、乾燥アルゴン、乾燥ヘリウム、乾燥二酸化炭素、乾燥メタンなどであってもよい。粒子６０は、気体７２中において分散媒として安定的に浮遊するエアロゾル状態を維持する。セルの内壁との接触面積を低減して粒子６０の流動性を高めるため、粒子６０の表面には、例えば金属酸化物の付着などによってナノスケールの凹凸が設けられていてもよい。
【００６１】
第５の変形例の表示装置１０によれば、気体７２内の粒子６０に交流電圧を印加することで、気体７２内において、第１電極４１または第２電極４２に向かって粒子６０を泳動させることができる。これにより、気体７２と粒子６０との界面の形状を連続的に変化させることができるので、図１の表示装置１０と同様に、スペックルが効果的に低減された視認性が良好な透過方式の投影画像を表示できる。
【００６２】
（第６の変形例）
図８は、第１の実施形態の第６の変形例による表示装置１０を示す図である。図１の構成では、対向する１つの第１電極４１と第２電極４２との間に交流電圧を印加していた。これに対して、第６の変形例では、第２電極４２が、例えば帯状にパターニングされた複数のパターン電極４２ａで構成されている。電力源３０の両端は、隣接するパターン電極４２ａにそれぞれ接続されている。これにより、粒子層５０には、図８の矢印に示すように、隣接するパターン電極４２ａ間の交流電圧すなわち交番電界が印加される。
【００６３】
第６の変形例の表示装置１０によれば、図１の表示装置１０と異なる向きの電界が発生するので、粒子６０は並進運動以外の回転、振動を含む運動を行い、流体７０中を移動させることができるので、流体７０と粒子６０との界面の形状を変化させてスペックルを効果的に低減できる。また、第６の変形例によれば、第１電極４１を省略することもできるので、コストを削減することも可能である。
【００６４】
（第７の変形例）
図９は、第１の実施形態の第７の変形例による表示装置１０を示す図である。図７に示すように、第９の変形例では、複数のパターン電極４１ａで構成された第１電極４１と、複数のパターン電極４２ａで構成された第２電極４２が対向して配置されている。電力源３０の両端は、パターン電極４１ａと、このパターン電極４１ａに正対するパターン電極４２ａに隣接するパターン電極４２ａとの間に接続されている。これにより、第１電極４１と第２電極４２との間には、図９の矢印に示すように、交差するように交流電圧が印加される。
【００６５】
第７の変形例の表示装置１０によれば、異なる向きの電界が発生するので、粒子６０は並進運動以外の回転、振動を含む運動を行い、流体７０と粒子６０との界面の形状を変化させてスペックルを効果的に低減できる。
【００６６】
（第２の実施形態）
図１０は、第２の実施形態による表示装置１０を示す図である。第１の実施形態では、画像光を透過表示する表示装置１０の例について説明した。これに対して、第２の実施形態の表示装置１０は、画像光を反射表示する。すなわち、第２の実施形態では、第１基板４６および第１電極４１を透過した画像光が、粒子層５０で拡散反射される。これにより、第１基板４６の出射側の端面である表示側面４０ａに対面する観察者は、画像を視認することが可能となる。
【００６７】
画像光を反射させる具体的な手法として、例えば、液体７１または粒子６０の色を、顔料や染料によって白色等に調整してもよい。また、粒子層５０に、光拡散性を有する追加の粒子を含有させてもよい。
【００６８】
なお、第２の実施形態は、図３乃至図９に示した第１実施形態の各変形例と組み合わせることも可能である。
【００６９】
第２の実施形態によれば、第１の実施形態と同様に、第１電極４１および第２電極４２を通じて粒子６０に交流電圧を印加することで、流体７０内において粒子６０を移動させることができる。粒子６０を移動させることで、流体７０と粒子６０との界面の形状を変化させることができる。これにより、スペックルが効果的に低減された視認性が良好な反射方式の投影画像を表示できる。
【００７０】
本開示の態様は、上述した個々の実施形態に限定されるものではなく、当業者が想到しうる種々の変形も含むものであり、本開示の効果も上述した内容に限定されない。すなわち、特許請求の範囲に規定された内容およびその均等物から導き出される本開示の概念的な思想と趣旨を逸脱しない範囲で種々の追加、変更および部分的削除が可能である。
【符号の説明】
【００７１】
２０  プロジェクタ、４０  スクリーン、４１  第１電極、４２  第２電極、５０  粒子層
【図１】
2018031993.tif 000003
【図２Ａ】
2018031993.tif 000004
【図２Ｂ】
2018031993.tif 000005
【図３】
2018031993.tif 000006
【図４】
2018031993.tif 000007
【図５】
2018031993.tif 000008
【図６】
2018031993.tif 000009
【図７】
2018031993.tif 000010
【図８】
2018031993.tif 000011
【図９】
2018031993.tif 000012
【図１０】
2018031993.tif 000013